(57)【要約】
【課題】地面に孔を明けてその中にセットすることで支線を支持し得るようにして、短時間で設置でき、地面の掘削面先もその孔の分のみの最小限で済み、交通量の多い場所でも交通渋滞を防止し得るようにすることにある。
【解決手段】支線３を結合される環状部５ａを一端部に設けられたロッド５と、前記ロッドの他端部に設けられた基部６と、一端から途中まで軸線方向に延在する複数のスリット７ａを有し、前記基部にかぶせられる外筒７と、を具えてなり、前記基部が、前記ロッドの前記一端部から前記他端部へ向かう方向へ向かうに連れて拡径するよう傾斜した複数の棒材６ａを有し、前記外筒が、前記スリット側の一端を前記基部に向けて前記ロッドに挿通されて前記基部へ向けて押圧されることで前記傾斜した複数の棒材により前記スリット側から拡径されることを特徴とする、岩盤用支線アンカ４である。
【選択図】図１
0003101288.tif 000002
【実用新案登録請求の範囲】
【請求項１】
支線（３）を結合される環状部（５ａ）を一端部に設けられたロッド（５）と、
前記ロッドの他端部に設けられた基部（６）と、
一端から途中まで軸線方向に延在する複数のスリット（７ａ）を有し、前記基部にかぶせられる外筒（７）と、を具えてなり、
前記基部が、前記ロッドの前記一端部から前記他端部へ向かう方向へ向かうに連れて拡径するよう傾斜した複数の棒材（６ａ）を有し、
前記外筒が、前記スリット側の一端を前記基部に向けて前記ロッドに挿通されて前記基部へ向けて押圧されることで前記傾斜した複数の棒材により前記スリット側から拡径されるものである、岩盤用支線アンカ。
【請求項２】
支線（３）を結合される環状部（５ａ）を一端部に設けられたロッド（５）と、
前記ロッドの他端部にそのロッドを鋭角に曲げて形成された基部（６）と、
前記ロッドに向く側を内側にして樋状に湾曲し、その樋の延在方向に対応する方向を前記基部の延在方向に一致させてその基部に固定された鍬板（９）と、
を具えてなる、鍬型支線アンカ。
【請求項３】
支線（３）を結合される環状部（５ａ）を一端部に設けられたロッド（５）と、
前記ロッドの他端部に設けられた基部（６）と、
前記基部に前記ロッドの前記一端部から遠い側の端部を枢支されて、前記ロッドの前記一端部に近い側の端部が前記ロッドから離間するように前記ロッドに対し鋭角をなす範囲で拡開可能な複数の羽根（１１）と、
前記ロッドに挿通されて前記基部へ向けて押圧されることで前記複数の羽根を拡開させるリング（１２）と、
を具えてなる、羽根型支線アンカ。
【考案の詳細な説明】
【技術分野】
【０００１】
この考案は、架空設備や電柱等を支持する支線の端を地面に固定するのに用いられる支線アンカに関するものである。
【背景技術】
【０００２】
上記の如き支線アンカとしては従来、例えば、岩盤に開けて底部を拡径した孔内にモルタルで固定されるスパイキボルトや、先端部が二股に開くように地中に打ち込まれる鋤型アンカが知られている。
【考案の開示】
【考案が解決しようとする課題】
【０００３】
しかしながら、スパイキボルトではモルタルが硬化するまで支線を支持できないという不都合があり、また鋤型アンカでは地表から打ち込むため、転石が埋まっているような場所では使用できないという問題ガあった。
【０００４】
それゆえこの考案は、地面に孔を明けてその中にセットすることで支線を支持し得る支線アンカを提供することを目的としている。
【課題を解決するための手段】
【０００５】
上記課題を有利に解決するこの考案の支線アンカは、請求項１記載の岩盤用支線アンカでは、支線を結合される環状部を一端部に設けられたロッドと、前記ロッドの他端部に設けられた基部と、一端から途中まで軸線方向に延在する複数のスリットを有し、前記基部にかぶせられる外筒と、を具えてなり、前記基部が、前記ロッドの前記一端部から前記他端部へ向かう方向へ向かうに連れて拡径するよう傾斜した複数の棒材を有し、前記外筒が、前記スリット側の一端を前記基部に向けて前記ロッドに挿通されて前記基部へ向けて押圧されることで前記傾斜した複数の棒材により前記スリット側から拡径されるものであることを特徴としている。
【０００６】
また、請求項２記載の鍬型支線アンカでは、支線を結合される環状部を一端部に設けられたロッドと、前記ロッドの他端部にそのロッドを鋭角に曲げて形成された基部と、前記ロッドに向く側を内側にして樋状に湾曲し、その樋の延在方向に対応する方向を前記基部の延在方向に一致させてその基部に固定された鍬板と、を具えてなることを特徴としている。
【０００７】
そして、請求項３記載の羽根型支線アンカでは、支線を結合される環状部を一端部に設けられたロッドと、前記ロッドの他端部に設けられた基部と、前記基部に前記ロッドの前記一端部から遠い側の端部を枢支されて、前記ロッドの前記一端部に近い側の端部が前記ロッドから離間するように前記ロッドに対し鋭角をなす範囲で拡開可能な複数の羽根と、前記ロッドに挿通されて前記基部へ向けて押圧されることで前記複数の羽根を拡開させるリングと、を具えてなることを特徴としている。
【考案の効果】
【０００８】
かかる請求項１〜３記載の支線アンカにあっては、岩盤用アンカは地面にあけた孔内に基部を挿入し、外筒をロッドに嵌めたパイプ等で押してその基部に押し被せることで、外筒が拡径して岩盤に食い付き、また鍬形アンカは、地面に斜めにあけた孔内に鍬板を下向きにして基部を挿入し、ロッドを引くことで鍬板が地中に食い込み、羽根型アンカでは地面に斜めにあけた孔内に羽根をすぼめて基部を挿入し、ロッドに相通したリングをロッドに嵌めたパイプ等で押して複数の羽根を拡径させることで、それらの羽根が地中に食い込む。
【０００９】
従って、この考案の支線アンカは何れも、地面に孔を明けてその中にセットすることで支線を支持することができるので、短時間で設置でき、地面の掘削面先もその孔の分のみの最小限で済み、道路を短時間で解放できるため交通量の多い場所でも交通渋滞を防止することができる。
【考案を実施するための最良の形態】
【００１０】
以下に、この考案の実施の形態を実施例によって、図面に基づき詳細に説明する。ここに、図１（ａ），（ｂ）は、この考案の岩盤用支線アンカの一実施例を示す正面図および底面図、図２は、その実施例の岩盤用支線アンカで支線を支持する際の使用方法を示す説明図であり、図中符号１は電柱、２は地面、３は支線、４は上記実施例の岩盤用支持アンカをそれぞれ示す。
【００１１】
この実施例の岩盤用支持アンカ４は、図１に示すように、支線３を結合される環状部５ａを一端部（図１（ａ）では上端部）に設けられたロッド５と、そのロッド５の他端部（図１（ａ）では下端部）に設けられた基部６と、一端（図１（ａ）では下端部）から途中まで軸線方向に延在する複数のスリット７ａを有し、基部６に被せられる外筒７とを具えてなり、基部６が、ロッド５の上記一端部から他端部へ向かう方向（（図１（ａ）では下方）へ向かうに連れて拡径するよう傾斜して溶接固定された複数の棒材６ａを有し、外筒７が、スリット７ａ側の一端を基部６に向けてロッド５に挿通されて基部６へ向けて押圧されることで、傾斜した複数の棒材６ａとの摺接により、小さな摩擦力でスリット７ａ側から拡径されるものである。
【００１２】
かかる実施例の岩盤用支持アンカ４は、図２に示すように、地面２から岩盤内に削孔した孔内に基部６を挿入し、外筒７をロッド５に嵌めたパイプ等で押してその基部６に押し被せることで、外筒７が拡径して岩盤に食い付き、孔内にセットされる。なお、そのセット後に孔内にモルタルを充填する。
【００１３】
従ってこの実施例の岩盤用支持アンカ４によれば、地面に孔を明けてその中にセットすることで、モルタルの硬化を待たずに支線３を支持することができるので、短時間で設置でき、地面の掘削面先もその孔の分のみの最小限で済み、道路を短時間で解放できるため交通量の多い場所でも交通渋滞を防止することができる。
【００１４】
図３（ａ），（ｂ）は、この考案の鍬型支線アンカの一実施例を示す側面図およびＡ矢視図、図４は、その実施例の鍬型支線アンカで支線を支持する際の使用方法を示す説明図であり、図中符号上記実施例と同様の部分はそれと同一の符号にて示す。また符合８は上記実施例の鍬型支持アンカを示す。
【００１５】
この実施例の鍬型支持アンカ８は、図３に示すように、支線３を結合される環状部５ａを一端部（図３（ａ）では上端部）に設けられたロッド５と、そのロッド５の他端部（図３（ａ）では下端部）にそのロッド５を鋭角に曲げて形成された基部６と、ロッド５に向く側を内側にして樋状に湾曲し、その樋の延在方向に対応する方向を基部６の延在方向に一致させてその基部６に溶接固定された鍬板９とを具えてなるものである。なお、ロッド５と基部６との間にはそれらに渡して補強板６ｂが溶接固定されている。
【００１６】
かかる実施例の鍬型支持アンカ８は、図４に示すように、地面２から転石等の埋まった地中に斜めに削孔した孔内に鍬板９を下向きにして基部６を挿入し、ロッド５を引くことで鍬板９が地中に食い込み、孔内にセットされる。なお、そのセット後に孔内に土砂を埋め戻しする。
【００１７】
従ってこの実施例の鍬型支持アンカ８によれば、地面に孔を明けてその中にセットすることで、埋め戻し前に支線３を支持することができるので、短時間で設置でき、地面の掘削面先もその孔の分のみの最小限で済み、道路を短時間で解放できるため交通量の多い場所でも交通渋滞を防止することができる。
【００１８】
図５（ａ），（ｂ）は、この考案の羽根型支線アンカの一実施例を示す羽根を閉じた状態の正面図および羽根を開いた状態の正面図、図６は、その実施例の羽根型支線アンカで支線を支持する際の使用方法を示す説明図であり、図中符号上記実施例と同様の部分はそれと同一の符号にて示す。また符合１０は上記実施例の羽根型支持アンカを示す。
【００１９】
この実施例の羽根型支持アンカ１０は、図５に示すように、支線３を結合される環状部５ａを一端部（図３（ａ）では上端部）に設けられたロッド５と、そのロッド５の他端部（図５（ａ）では下端部）に設けられた基部６と、基部６にロッド５の上記一端部から遠い側の端部を枢支されて、ロッド５の上記一端部に近い側の端部がロッド５から離間するようにロッド５に対し鋭角をなす範囲で拡開可能な複数（図示例では四枚）の羽根１１と、ロッド５に挿通されて基部６へ向けて押圧されることで複数の羽根１１と摺接してそれらを拡開させるリング１２とを具えてなるものである。
【００２０】
かかる実施例の羽根型支持アンカ１０は、図６に示すように、地面２から転石等の埋まった地中に斜めに削孔した孔内に羽根１１をすぼめて基部６を挿入し、ロッド５に相通したリング１２をロッド５に嵌めたパイプ等で押して複数の羽根１２を拡径させることで、それらの羽根１２が地中に食い込み、孔内にセットされる。なお、そのセット後に孔内に土砂を埋め戻しする。
【００２１】
従ってこの実施例の羽根型支持アンカ１０によれば、地面に孔を明けてその中にセットすることで、、埋め戻し前に支線３を支持することができるので、短時間で設置でき、地面の掘削面先もその孔の分のみの最小限で済み、道路を短時間で解放できるため交通量の多い場所でも交通渋滞を防止することができる。
【００２２】
以上、図示例に基づき説明したが、この考案は上述の例に限定されるものでなく、実用新案登録請求の範囲の記載範囲内で適宜変更することができるものである。
【産業上の利用可能性】
【００２３】
かくしてこの考案の支持アンカによれば、地面に孔を明けてその中にセットすることで支線を支持することができるので、短時間で設置でき、地面の掘削面先もその孔の分のみの最小限で済み、道路を短時間で解放できるため交通量の多い場所でも交通渋滞を防止することができる。
【図面の簡単な説明】
【００２４】
【図１】（ａ），（ｂ）は、この考案の岩盤用支線アンカの一実施例を示す正面図および底面図である。
【図２】上記実施例の岩盤用支線アンカで支線を支持する際の使用方法を示す説明図である。
【図３】（ａ），（ｂ）は、この考案の鍬型支線アンカの一実施例を示す側面図およびＡ矢視図である。
【図４】上記実施例の鍬型支線アンカで支線を支持する際の使用方法を示す説明図である。
【図５】（ａ），（ｂ）は、この考案の羽根型支線アンカの一実施例を示す羽根を閉じた状態の正面図および羽根を開いた状態の正面図である。
【図６】上記実施例の羽根型支線アンカで支線を支持する際の使用方法を示す説明図である。
【符号の説明】
【００２５】
１  電柱
２  地面
３  支線
４  岩盤用支持アンカ
５  ロッド
５ａ  環状部
６  基部
６ａ  棒材
６ｂ  補強板
７  外筒
７ａ  スリット
８  鍬型支持アンカ
９  鍬板
１０  羽根型支持アンカ
１１  羽根
１２  リング
【図１】
0003101288.tif 000003
【図２】
0003101288.tif 000004
【図３】
0003101288.tif 000005
【図４】
0003101288.tif 000006
【図５】
0003101288.tif 000007
【図６】
0003101288.tif 000008